(57)【特許請求の範囲】
【請求項１】
温室の外被を構成すると共に、開閉動作されることにより換気部材として機能する温室用外被フィルムの開閉装置であって、
基端が固定された温室用外被フィルムの先端に連結される先導部材と、
前記温室用外被フィルムの基端と先端との間に設けられ、温室用外被フィルムをその中途部から巻回可能な中間巻き取り軸と、
前記先導部材を牽引し、温室用外被フィルムを展開する展開手段と
を具備し、
前記展開手段が、前記先導部材に連結される牽引ベルトと、該牽引ベルトを巻回するベルト巻き取り軸とを備えて構成され、
前記ベルト巻き取り軸の回転により牽引ベルトを巻回して温室用外被フィルムを展開する際に、該温室用外被フィルムに所定の張力を付与するための制動機構が前記中間巻き取り軸に連結されて設けられ、
前記中間巻き取り軸が回転して温室用外被フィルムを巻き取る際に、該温室用外被フィルムに所定の張力を付与する制動機構が前記ベルト巻き取り軸に連結されて設けられていることを特徴とする温室用外被フィルムの開閉装置。
【請求項２】
前記各制動機構により発揮される制動力が、それぞれ５Ｎ・ｍ〜２０Ｎ・ｍの範囲となるように設定されていることを特徴とする請求項１記載の温室用外被フィルムの開閉装置。
【請求項３】
前記中間巻き取り軸及びベルト巻き取り軸のいずれか少なくとも一方に、逆転防止手段が設けられていることを特徴とする請求項１又は２記載の温室用外被フィルムの開閉装置。
【請求項４】
温室の天井部を挟んだ一方の側面部寄りに前記温室用外被フィルムの基端が固定されており、前記展開手段を構成するベルト巻き取り軸が、他方の側面部寄りに設けられ、前記温室用外被フィルムの動作により、温室の天井部を開閉可能であることを特徴とする請求項１〜３のいずれか１に記載の温室用外被フィルムの開閉装置。
【請求項５】
温室の外被を構成すると共に、開閉動作されることにより換気部材として機能する温室用外被フィルムと、
請求項１〜４のいずれか１に記載の温室用外被フィルムの開閉装置と
を具備することを特徴とする温室。
【請求項６】
温室の天井部を形成する外被を構成すると共に、開閉動作されることにより換気部材として機能する天井用の温室用外被フィルムと、
前記天井用の温室用外被フィルムの少なくとも一方の端部に隣接して配設され、温室の各側面部を形成する外被を構成すると共に、開閉動作されることにより換気部材として機能する側面用の温室用外被フィルムとを備えてなり、
前記天井用の温室用外被フィルムが、
基端が固定されて設けられ、
その先端に連結される先導部材と、
基端と先端との間に設けられ、中途部から巻回可能な中間巻き取り軸と、
前記先導部材を牽引して展開する展開手段とを具備し、
前記展開手段が、前記先導部材に連結される牽引ベルトと、該牽引ベルトを巻回するベルト巻き取り軸とを備えて構成され、
前記ベルト巻き取り軸の回転により牽引ベルトを巻回して温室用外被フィルムを展開する際に、該温室用外被フィルムに所定の張力を付与するための制動機構が前記中間巻き取り軸に連結されて設けられ、
前記中間巻き取り軸が回転して温室用外被フィルムを巻き取る際に、該温室用外被フィルムに所定の張力を付与する制動機構が前記ベルト巻き取り軸に連結されて設けられた温室用外被フィルムの開閉装置により支持されていることを特徴とする温室。
【請求項７】
前記各制動機構により発揮される制動力が、それぞれ５Ｎ・ｍ〜２０Ｎ・ｍの範囲となるように設定されていることを特徴とする請求項６記載の温室。
【請求項８】
前記中間巻き取り軸及びベルト巻き取り軸のいずれか少なくとも一方に、逆転防止手段が設けられていることを特徴とする請求項６又は７記載の温室。
【発明の詳細な説明】
【０００１】
【発明の属する技術分野】
本発明は、ビニルフィルム、ポリオレフィン系フィルム、フッ素系フィルムなどのプラスチックフィルムを外被として用いる温室用外被フィルムの開閉装置及び該温室用外被フィルムの開閉装置を備えた温室に関する。
【０００２】
【従来の技術】
上記した各種プラスチックフィルムを外被として用いる温室は、通常、軽量なパイプ材を骨組み材として用い、これをアーチ状に配置してプラスチックフィルムを張設しており、外観上、略かまぼこ型をなしている。そして、この種のプラスチックフィルムは、強風等に煽られることによるばたつき等をできるだけ小さくするために、所定の張力をかけて設けられている。
【０００３】
かかる温室において換気部材として開閉されるのは、温室の側面部を形成している部分のみである。側面部の下部には、設置面に対して固定配設される固定フィルム（固定張り）が設けられており、該固定張りに側面部下縁の一部が重なり合うように設けることで、側面部下縁の所定の範囲を自由端として、巻き取り軸を巻き付けて開閉可能としても、該巻き取り軸が重りの役割を果たすことも相俟って、閉鎖時における固定フィルムとの隙間を防ぐ手段を講じやすいことによる。
【０００４】
【発明が解決しようとする課題】
しかしながら、温室内の換気効率の点を考慮すると、換気用の開口は、側面ではなく、天井部に設けることが好ましい。ガラス温室の場合には、ガラス窓を天井付近に設けることが行われているが、プラスチックフィルムを外被として用いた温室の場合には、換気用の開口は、上記した理由から側面部のみに設けられているに過ぎない。
【０００５】
プラスチックフィルムを外被として用いる温室において、仮に、天井部に換気用の開口を形成するに当たって、上記した側面部に形成する場合と同様に、その下縁（一方の端縁）に巻き取り軸を巻き付け、換気部材としてのプラスチックフィルムを巻き取り巻き戻しして開閉する構成とすると、重力により常に巻き戻し方向に付勢される側面部に設ける場合と異なり、プラスチックフィルムに張力をかけるための付勢手段が別途必要となる。このため、換気部材を構成するプラスチックフィルムの一方の端縁に巻き取り軸を取り付けた場合には、他方の端縁を常時引っ張る方向に付勢する手段を設ける必要が生じる。従って、かかる構造とした場合には、換気部材としてのプラスチックフィルムの一方の端縁側と他方の端縁側の両方に、外被を構成しているプラスチックフィルムとの間の隙間対策手段が必要となり、構造が複雑となる。
【０００６】
また、通常、側面部のみを開閉可能に設けられるプラスチックフィルムを、さらに天井付近まで開口するような構成とすることも考えられる。この場合には、隙間対策手段としては、従来と同様に、側面部を開閉するプラスチックフィルムと固定張りとの間だけで済む。しかしながら、かかる構成では、側面部の下縁から順次巻き取り軸によってプラスチックフィルムが天井付近まで巻き取られることにより初めて天井付近が開口することになり、換気効率の優れた天井付近を最初に開口させるという操作ができないという問題がある。また、巻き取り軸によるプラスチックフィルムの巻き取り量及び巻き戻し量が多くなるため、プラスチックフィルムの開閉に時間がかかる。
【０００７】
本発明は上記した点に鑑みなされたものであり、プラスチックフィルムを外被として用いていながら、換気効率を考慮して天井部等の任意部位に換気部材を形成することができ、当該換気部を形成している外被フィルムのみを最初に開閉したり、あるいは任意のタイミングで選択的に開閉したりすることが可能になると共に、換気部材を形成するプラスチックフィルムと他の部位との隙間対策手段を施す箇所が少なくて済み、さらに、換気部材としてのプラスチックフィルムの開閉時間が長くなることがなく、室内温度や天候等の変化に合わせて迅速に開閉可能な応答性に優れた温室用外被フィルムの開閉装置及び温室を提供することを課題とする。
【０００８】
【課題を解決するための手段】
上記した課題を解決するため、請求項１記載の本発明では、温室の外被を構成すると共に、開閉動作されることにより換気部材として機能する温室用外被フィルムの開閉装置であって、
基端が固定された温室用外被フィルムの先端に連結される先導部材と、
前記温室用外被フィルムの基端と先端との間に設けられ、温室用外被フィルムをその中途部から巻回可能な中間巻き取り軸と、
前記先導部材を牽引し、温室用外被フィルムを展開する展開手段と
を具備し、
前記展開手段が、前記先導部材に連結される牽引ベルトと、該牽引ベルトを巻回するベルト巻き取り軸とを備えて構成され、
前記ベルト巻き取り軸の回転により牽引ベルトを巻回して温室用外被フィルムを展開する際に、該温室用外被フィルムに所定の張力を付与するための制動機構が前記中間巻き取り軸に連結されて設けられ、
前記中間巻き取り軸が回転して温室用外被フィルムを巻き取る際に、該温室用外被フィルムに所定の張力を付与する制動機構が前記ベルト巻き取り軸に連結されて設けられていることを特徴とする温室用外被フィルムの開閉装置を提供する。
請求項２記載の本発明では、前記各制動機構により発揮される制動力が、それぞれ５Ｎ・ｍ〜２０Ｎ・ｍの範囲となるように設定されていることを特徴とする請求項１記載の温室用外被フィルムの開閉装置を提供する。
請求項３記載の本発明では、前記中間巻き取り軸及びベルト巻き取り軸のいずれか少なくとも一方に、逆転防止手段が設けられていることを特徴とする請求項１又は２記載の温室用外被フィルムの開閉装置を提供する。
請求項４記載の本発明では、温室の天井部を挟んだ一方の側面部寄りに前記温室用外被フィルムの基端が固定されており、前記展開手段を構成するベルト巻き取り軸が、他方の側面部寄りに設けられ、前記温室用外被フィルムの動作により、温室の天井部を開閉可能であることを特徴とする請求項１〜３のいずれか１に記載の温室用外被フィルムの開閉装置を提供する。
請求項５記載の本発明では、温室の外被を構成すると共に、開閉動作されることにより換気部材として機能する温室用外被フィルムと、
請求項１〜４のいずれか１に記載の温室用外被フィルムの開閉装置と
を具備することを特徴とする温室を提供する。
請求項６記載の本発明では、温室の天井部を形成する外被を構成すると共に、開閉動作されることにより換気部材として機能する天井用の温室用外被フィルムと、
前記天井用の温室用外被フィルムの少なくとも一方の端部に隣接して配設され、温室の各側面部を形成する外被を構成すると共に、開閉動作されることにより換気部材として機能する側面用の温室用外被フィルムとを備えてなり、
前記天井用の温室用外被フィルムが、
基端が固定されて設けられ、
その先端に連結される先導部材と、
基端と先端との間に設けられ、中途部から巻回可能な中間巻き取り軸と、
前記先導部材を牽引して展開する展開手段とを具備し、
前記展開手段が、前記先導部材に連結される牽引ベルトと、該牽引ベルトを巻回するベルト巻き取り軸とを備えて構成され、
前記ベルト巻き取り軸の回転により牽引ベルトを巻回して温室用外被フィルムを展開する際に、該温室用外被フィルムに所定の張力を付与するための制動機構が前記中間巻き取り軸に連結されて設けられ、
前記中間巻き取り軸が回転して温室用外被フィルムを巻き取る際に、該温室用外被フィルムに所定の張力を付与する制動機構が前記ベルト巻き取り軸に連結されて設けられた温室用外被フィルムの開閉装置により支持されていることを特徴とする温室を提供する。
請求項７記載の本発明では、前記各制動機構により発揮される制動力が、それぞれ５Ｎ・ｍ〜２０Ｎ・ｍの範囲となるように設定されていることを特徴とする請求項６記載の温室を提供する。
請求項８記載の本発明では、前記中間巻き取り軸及びベルト巻き取り軸のいずれか少なくとも一方に、逆転防止手段が設けられていることを特徴とする請求項６又は７記載の温室を提供する。
【０００９】
（作用）
本発明によれば、換気部材となる温室用外被フィルムの中途部に中間巻き取り軸が配設されている。従って、展開手段により先導部材が牽引されることにより、中間巻き取り軸に巻回された温室用外被フィルムが巻き戻され、換気部となる開口が閉じられていく。一方、中間巻き取り軸が上記と逆方向に回転することにより、温室用外被フィルムが該中間巻き取り軸に巻き取られ、換気部となる開口が開放されていく。この際、中間巻き取り軸が、温室用外被フィルムの基端と先端との間の中途部に設けられており、温室用外被フィルムにおける該中間巻き取り軸の前後に位置する部位が同時に巻き取り又は巻き戻されるため、換気部材としての温室用外被フィルムを速やかに開閉できる。また、換気部材としての温室用外被フィルムは、基端を任意の骨組み材等に固定して設けることができるため、換気部材として機能するかかる温室用外被フィルムの配設位置に拘わらず、基端側においては温室の外被を形成している他のフィルムとの間で隙間なく密閉的に設けることができ、温室の側面部を形成する側面フィルムとの間で隙間対策手段を施す必要がない。
従って、天井部を形成する温室用外被フィルムを換気部材として機能させる際に本発明は特に有効であり、また、従来の側面部を開閉する構造と組み合わせることにより、温室用外被フィルム全体を選択的に開閉できる温室を容易に提供することができる。
【００１０】
【発明の実施の形態】
以下、図面に示した実施形態に基づき本発明をさらに詳細に説明する。図１は本発明の一の実施形態にかかる温室用外被フィルムの開閉装置１０を示す概略斜視図である。この図に示したように、本実施形態の温室用外被フィルムの開閉装置１０は、先導部材１１、中間巻き取り軸１２、牽引ベルト１３、ベルト巻き取り軸１４を有して構成される。本実施形態においては、温室２０の天井部Ａが換気部として開口する構成となっており、符号２１が該天井部Ａを形成すると共に、換気部材として該天井部Ａの開口を開閉する温室用外被フィルム（天井換気用フィルム）である。なお、図１においては省略しているが、温室の各側面部Ｂには、温室用外被フィルム（側面フィルム）が固定的にあるいは開閉可能に設けられる。
【００１１】
上記した天井換気用フィルム２１は、温室の一方の側面部Ｂとの境界付近に、長手方向に沿って配設された骨組みの一つであるフィルム保持フレーム３０に、基端２１ａが固定されて配設される。フィルム保持フレーム３０又は該フィルム保持フレーム３０に併設された他のフレームには、一方の側面部Ｂを形成する側面フィルム（図示せず）の上端が固定されるため、天井換気用フィルム２１の基端２１ａと側面フィルムとの間には隙間が形成されず、密閉的に設けられる。従って、天井換気用フィルム２１を設けても、その基端２１ａに隣接する側面フィルムとの間で、隙間対策手段を施す必要がない。
【００１２】
天井換気用フィルム２１の他端（先端）２１ｂには、先導部材１１が固定される。先導部材１１は、天井換気用フィルム２１の先端を、開閉方向に直交する方向に沿って大きく蛇行させることなく牽引するために設けられるものであり、その構造は限定されるものではないが、本実施形態では、温室の長手方向に沿って配設されるパイプ材等の長尺な棒状部材を用いている。
【００１３】
天井換気用フィルム２１の基端２１ａと先導部材１１が固定される先端２１ｂとの間には、中間巻き取り軸１２が設けられる。中間巻き取り軸１２は、天井換気用フィルム２１の開閉方向に略直交する方向に沿って、本実施形態では温室の長手方向に沿って設けられ、天井換気用フィルム２１の中途部が巻き付けられている。従って、該中間巻き取り軸１２が一方向（図１においてＸ方向）に回転した場合には、天井換気用フィルム２１のうち、中間巻き取り軸１２を挟んで両側に位置する部位が同時に巻き取られていき、他方向（図１においてＹ方向）に回転した場合には、中間巻き取り軸１２を挟んで両側に位置する部位が同時に巻き戻されていく。なお、天井換気用フィルム２１は、中間巻き取り軸１２を挟んで両側に位置する部位が２枚に分割されていてもよいし、一枚物であってもよい。
【００１４】
先導部材１１には、長手方向に沿って所定間隔ごとに牽引ベルト１３の一端１３ａが連結される。牽引ベルト１３の他端１３ｂは、他方の側面部Ｃ寄りに、長手方向に沿って設けられたベルト巻き取り軸１４に連結される。従って、ベルト巻き取り軸１４が一方向（図１においてＸ方向）に回転すると、牽引ベルト１３はベルト巻き取り軸１４から引き出されていき、他方向（図１においてＹ方向）に回転すると、牽引ベルト１３はベルト巻き取り軸１４に巻き付けられていく。なお、本実施形態では、上記した牽引ベルト１３及びベルト巻き取り軸１４により、本発明の展開手段を構成している。また、牽引ベルト１３としては、図１に示したように所定の幅のある平ベルトを用いると、左右に巻きぶれが生じても円滑に重ね巻きされるため好ましいが、これに限定されるものではなく、ワイヤ部材やチェーン等を用いることも可能である。
【００１５】
中間巻き取り軸１２及びベルト巻き取り軸１４は、いずれも制動機構１２ａ，１４ａに支持されていることが好ましい。制動機構１２ａ，１４ａは、天井換気用フィルム２１に所定の張力を付与し、ばたつきを防止するために設けられ、かかる機能を果たすものであればどのような構造のものであってもよい。例えば、軸受け部回りに粘性液体が充填された回転ダンパや、バネやゴムの弾性力を利用した緩衝器などを用いることができる。また、本実施形態では、中間巻き取り軸１２をＸ方向に回転させることによって、天井換気用フィルム２１を巻き取り、牽引ベルト１３がベルト巻き取り軸１４から引き出され、ベルト巻き取り軸１４をＹ方向に回転させることによって、牽引ベルト１３を巻き取り、中間巻き取り軸１２から天井換気用フィルム２１を引き出させて展開する構成である。従って、中間巻き取り軸１２に設ける制動機構１２ａは、Ｘ方向に回転する際には、制動力が機能しないようにワンウエイクラッチを介在させ、ベルト巻き取り軸１４に設ける制動機構１４ａは、Ｙ方向に回転する際に制動力が発揮しないようなワンウエイクラッチを介在させることが好ましい。これにより、中間巻き取り軸１２をＸ方向に回転させた際には、ベルト巻き取り軸１４がＸ方向に回転するため、該ベルト巻き取り軸１４に連結された制動機構１４ａの制動力が機能し、ベルト巻き取り軸１４をＹ方向に回転させた際には、中間巻き取り軸１２がＹ方向に回転するため、該中間巻き取り軸１２に連結された制動機構１２ａの制動力が機能する。
なお、制動機構１２ａ，１４ａにより発揮される制動力は、５Ｎ・ｍ〜２０Ｎ・ｍの範囲となるように設定されていることが好ましい。この範囲を下回る場合には、天井換気用フィルム２１の開閉動作時おける張力が不足してばたつきが生じやすく、この範囲を上回る場合には、張力が高すぎて天井換気用フィルム２１に亀裂等を生じる恐れがある。より好ましい制動力は、８Ｎ・ｍ〜１５Ｎ・ｍの範囲である。
【００１６】
中間巻き取り軸１２及びベルト巻き取り軸１４を回転動作させる駆動機構は、本実施形態では、各端部に連結された滑車部材１２ｂ，１４ｂと、各滑車部材１２ｂ，１４ｂに無端状に掛け回されたチェーン１２ｃ，１４ｃとにより構成されている。すなわち、チェーン１２ｃ，１４ｃを任意の方向に引き下ろすことにより、滑車部材１２ｂ，１４ｂをＸ方向又はＹ方向に回転させて、中間巻き取り軸１２又はベルト巻き取り軸１４を回転駆動させる構造である。もちろん、これはあくまで一例であり、チェーンに代えてベルト部材を用いることもできるし、中間巻き取り軸１２又はベルト巻き取り軸１４に駆動伝達軸（図示せず）を連結し、これに操作ハンドルをさらに連結して駆動させる構造とすることもできる。また、手動ではなくモータを用いた電動式とすることもできる。但し、いずれの場合でも、中間巻き取り軸１２は、天井換気用フィルム２１の巻き取り又は巻き戻しに伴ってその位置が変化するため、本実施形態のように滑車部材１２ｂが中間巻き取り軸１２と共に移動する構成とするなど、中間巻き取り軸１２の位置変化に追随して駆動力を伝達できる機構とする必要がある。
【００１７】
次に、本実施形態にかかる温室用外被フィルムの開閉装置１０の作用を説明する。まず、図１に示した状態から、天井換気用フィルム２１を閉じる場合には、チェーン１４ｃを操作してベルト巻き取り軸１４をＹ方向に回転させる。これにより、牽引ベルト１３がベルト巻き取り軸１４に巻き取られていき、先導部材１１がベルト巻き取り軸１４に接近する方向に引っ張られ、中間巻き取り軸１２に巻き付けられている天井換気用フィルム２１が巻き戻されていき、展張されていく。この際、中間巻き取り軸１２に連結された制動機構１２ａの制動力が機能するため、天井換気用フィルム２１は所定の張力が付与された状態で巻き戻されていき、展張時におけるばたつきが抑制される。
【００１８】
図２に示したように、先導部材１１が、他方の側面部Ｃを形成している側面フィルムを支持するフィルム保持フレーム３１付近に至ると、天井換気用フィルム２１によって天井部Ａに形成された開口が全て閉じられる。但し、天井換気用フィルム２１に固定された先導部材１１と他方の側面部Ｃを形成している側面フィルムとの間は、該天井換気用フィルム２１の閉鎖時において隙間が生じないような隙間対策手段を施す必要がある。かかる隙間対策手段は任意であるが、例えば、先導部材１１の閉鎖動作方向前端側に、先導部材１１に庇状の突片１１ａを一体的に設け、この突片１１ａが他方の側面部Ｃの一部にオーバーラップする構造とすることにより、両者間に生じる隙間を被覆することができる。先導部材１１がアルミニウム等の金属製や合成樹脂製である場合には、突片１１ａを一体成形して設けてもよいし、両者を別体に成形してネジ等により固定することもできる。また、金属等の硬質の部材に限らず、プラスチックフィルムを用いることも可能である。
【００１９】
一方、天井換気用フィルム２１を閉鎖状態から開放する場合には、チェーン１２ｃを操作して中間巻き取り軸１２をＸ方向に回転させる。これにより、該中間巻き取り軸１２は、天井換気用フィルム２１を、その中途部から巻き付けていく。この結果、該天井換気用フィルム２１における中間巻き取り軸１２を挟んだ部位の両方が一緒に巻き付けられるため、迅速に巻き付けられ、天井部Ａに形成された開口を開放していく。従って、温室内において最も温度が高くなる領域である天井付近に溜まる熱を迅速に外部に排出でき、応答性に優れた換気機能を発揮させることができる。なお、ベルト巻き取り軸１４には、Ｘ方向に回転する際に制動力を発揮する制動機構１４ｂが設けられているため、牽引ベルト１３を介して、天井換気用フィルム２１には、中間巻き取り軸１２に巻き取られていく間、先導部材１１をベルト巻き取り軸１４に引きつける方向に張力が加わる。従って、天井換気用フィルム２１を巻き取る際におけるばたつきも抑制することができる。
【００２０】
天井換気用フィルム２１が中間巻き取り時１２に全て巻き取られると、該中間巻き取り軸１２は、一方の側面部Ｂとの境界であるフィルム保持フレーム３０付近に至る。
【００２１】
ここで、中間巻き取り軸１２及びベルト巻き取り軸１４は、本実施形態においては、上記した制動機構１２ａ，１４ａに支持されており、天井換気用フィルム２１の開閉時におけるばたつきが防止されるが、天井換気用フィルム２１の閉鎖時や開閉途中で停止させた場合には、中間巻き取り軸１２及びベルト巻き取り軸１４のうちの少なくとも一方の逆転を防止する必要がある。かかる逆転防止手段としては、各滑車部材１２ｂ，１４ｂとの連結部に設けられる各種ギアの組み合わせ等からなる減速機構（図示せず）のギア比を調整するなどして、該減速機構に担わせることも可能であるが、その場合には、滑車部材１２ｂ，１４ｂを回転させる操作力との兼ね合いが問題となる。従って、逆転防止手段は、減速機構に担わせるのではなく、別途の機構として設けることが好ましく、本実施形態では、図３に示した逆転防止手段を採用している。
【００２２】
この逆転防止手段は、中間巻き取り軸１２の端部及び滑車部材１２ｂの減速機構との間に配設した連結軸１５の周囲に固定される外面角形の角形管部材１６と、該角形管部材１６に嵌合可能な角部を内周面に備えたジョイント管１７と、該ジョイント管１７に連結された係合パイプ１７ａとを備えて構成されている。すなわち、天井換気用フィルム２１の開閉動作時には、係合パイプ１７ａを操作してジョイント管１７を角形管部材１６から離脱させておき、停止時においては、係合パイプ１７ａを任意の角度となるように上下に回動させた上で、ジョイント管１７を角形管部材１６に嵌合させ、該係合パイプ１７ａの端部等を任意の不動部に係止する構成である。これにより、減速機構に負荷をかけることなく、中間巻き取り軸１２の逆転を防止できる。
【００２３】
また、ジョイント管１７の角形管部材１６に対する離接操作を容易にするため、中間巻き取り軸１２には固定環１８を設けておき、該固定環１８とジョイント管１７との間に、ジョイント管１７を常態において固定環１８から離接する方向に付勢するコイルスプリング１８ａ等の付勢手段を設けておくことが好ましい。そして、該固定環１８とジョイント管１７との間には両者を連結するリンク部材１９を設けると共に、このリンク部材１９を構成する各リンクの接続部に連結される線材１９ａと、該線材１９ａを引っ張ったり緩めたりする操作レバー１９ｂを上記係合パイプ１７ａに付設する。これにより、操作レバー１９ｂを一方に回動させた場合には、線材１９ａが緩み、コイルスプリング１８ａの弾性力によって、ジョイント管１７が角形管部材１６に接近していき嵌合する。一方、操作レバー１９ｃを他方に回動させた場合には、線材１９ｂが引っ張られ、リンク部材１９の各リンクの接続部が手前に突出するため、ジョイント管１７がコイルスプリング１８の弾性力に抗して、固定環１８に接近する方向にスライドし、角形管部材１６の外周から離脱する。
【００２４】
なお、このような逆転防止手段は、中間巻き取り軸１２の各端部付近、及びベルト巻き取り軸１４の各端部付近のうちのいずれか少なくとも１カ所に設けられればよいが、１カ所のみとする場合には中間巻き取り軸１２に設けることが好ましい。
【００２５】
図４は、本発明の他の実施形態を示す概念図であり、天井部Ａを形成する外被フィルムを２分割し、一方の天井換気用フィルム５１の先端５１ｂと他方の天井換気用フィルム７１の先端７１ｂとが突き合わせられるようにし、両者を上記実施形態と同様の開閉装置４０，６０で支持する構成としたものである。すなわち、一方の天井換気用フィルム５１を、先導部材４１、中間巻き取り軸４２、牽引ベルト４３、ベルト巻き取り軸４４を有する一方の開閉装置４０により支持し、他方の天井換気用フィルム７１を、先導部材６１、中間巻き取り軸６２、牽引ベルト６３、ベルト巻き取り軸６４を有する他方の開閉装置６０により支持した構成である。
【００２６】
この場合にも、一方の天井換気用フィルム５１の基端５１ａは、一方の側面部Ｂを形成する側面フィルムとの間に隙間が形成されることなく固定され、他方の天井換気用フィルム７１の基端７１ａは、他方の側面部Ｃを形成する側面フィルムとの間に隙間が形成されることなく固定される。従って、隙間対策手段としては、各先導部材４１，６１が突き合った際に、両者間の隙間を覆い隠す庇状の突片４１ａをいずれか少なくとも一方に設けるだけで済み、温室内で最も高温となる天井付近の熱を迅速に排出できるという上記実施形態と同様の作用、効果を奏することができる。
【００２７】
なお、図４に示した態様では、一方の天井換気用フィルム５１の先端５１ｂが温室の天井部頂部を乗り越え、他方の側面部Ｃ寄りの位置で、他方の天井換気用フィルム７１の先端７１ｂと突き合わせられるようになっているが、この突き合わせ位置は限定されるものではない。
【００２８】
本発明は、換気部材として機能させる外被フィルムの基端と先端との間に中間巻き取り軸を設け、該外被フィルムを中途から巻き付けていく構成としたことを特徴とする。このため、換気部材を構成する外被フィルムの基端を固定した状態で配置でき、プラスチックフィルムを外被として使用した温室において、換気用開口の形成位置の自由度を増すことができる。従って、上記各実施形態のように、温室の天井部Ａに対応する外被フィルム（天井換気用フィルム２１，５１，７１）を開閉可能な換気部材として構成することもできるし、天井部Ａの頂部よりもいずれかの側面部Ｂ，Ｃに偏った位置のみに形成することもできる。さらに、上記実施形態では、天井部Ａに対応する外被フィルムを一枚で形成するか（図１及び図２の天井換気用フィルム２１）、あるいは二枚で形成している（図４の天井換気用フィルム５１，７１）が、もちろん、これらはあくまで一例であり、天井部Ａに対応する外被フィルムを３分割以上で構成して、そのそれぞれに本発明を適用することもできる。また、天井部Ａの一部、例えば、頂部付近のみを固定フィルム（固定張り）として、その両側又は片側を覆う外被フィルムに本発明を適用し、該固定張りの下方に先導部材が進入可能な構成とすることで、天井部Ａを隙間無く閉鎖できる構造を容易に形成することもできる。但し、換気効率の点からは、頂部を固定張りで覆うのではなく、上記各実施形態のように、頂部も含めて開放し得る構成が好ましい。
【００２９】
また、側面部Ｂ，Ｃのいずれかを形成する側面フィルムも含め、天井換気用フィルムと側面フィルムを実質的に一体物として取り扱うことで、本発明の開閉装置を用いて温室の略半分を覆う外被フィルムの全てを開閉可能な構成とすることもできる。さらには、側面部Ｂ，Ｃを形成する両方の側面フィルムと天井換気用フィルムとの全てを実質的に一体物として取り扱って本発明の開閉装置を適用することにより、温室を被覆する外被フィルムの全てを開閉可能な構成とすることもできる。但し、この場合には、天井付近を最初に開閉することができず、側面フィルムの下縁から順次開口していくことになるため、換気の迅速性を考慮すると上記各実施形態のように天井換気用フィルムを側面フィルムと切り離して別体にして本発明を適用する構成が好ましい。
【００３０】
また、上記各実施形態のように天井部Ａを形成する外被フィルム（天井換気用フィルム）を設けた場合には、側面部Ｂ，Ｃのみが開閉する従来の温室と比較して、換気効率の点で優れている。従って、側面部Ｂ，Ｃを構成する側面フィルムを開閉可能とするか否かは任意であり、該側面フィルムを開閉しない構成とすることもできるが、換気効率をさらに上げるために、該側面フィルムも開閉する構成とすることがより好ましい。これにより、天井部の迅速な開閉という機能を保持したまま、側面フィルムも併せて実質的に全面開放することができると共に、温室内の温度に応じて、各フィルムを選択的に開閉することにより、より細かな温度制御を行うことができる。なお、この場合の側面フィルムを開閉する手段は任意であり、例えば、従来と同様に、その下縁から巻き取り軸により巻き取り巻き戻しする手段を採用することができる。
【００３１】
【発明の効果】
本発明は、換気部材として機能させる温室用外被フィルムの基端と先端との間に中間巻き取り軸を設け、該外被フィルムを中途から巻き付けていくことができる構成である。このため、換気部材を構成する外被フィルムの基端を固定した状態で設けることができ、プラスチックフィルムを外被として用いていながら、従来と比較して余分な隙間対策手段を必要とせずに、換気効率を考慮して天井部等の任意部位に換気用開口を形成することができる。従って、例えば、天井部、側面部のそれぞれを覆う外被フィルムを、独立して動作する換気部材として構成することができ、天井部を覆う外被フィルムのみを最初に開閉したり、あるいは任意のタイミングで選択的に開閉したりすることが可能となり、温室内外の温度環境等に考慮したよりきめ細やかな換気制御を行うことができる。また、換気部材として機能させる外被フィルムの中途に中間巻き取り軸を配置した構成であるため、換気部材としての該外被フィルムの開閉時間が長くなることがなく、室内温度や天候等の変化に合わせて迅速に開閉可能で応答性に優れている。
【００３２】
また、中間巻き取り軸及び展開手段を構成するベルト巻き取り軸に制動機構を設けることにより、換気部材として機能する温室用外被フィルムの開閉時においても所定の張力を付与でき、風等によるばたつきを防止でき、安定した開閉動作を行うことができる。
【図面の簡単な説明】
【図１】図１は、本発明の一の実施形態にかかる温室用外被フィルムの開閉装置を配置した温室を示す斜視図でる。
【図２】図２は、上記実施形態にかかる温室用外被フィルムの開閉装置の動作を説明するための図である。
【図３】図３は、上記実施形態で用いた逆転防止手段の構造を説明するための図である。
【図４】図４は、本発明の温室用外被フィルムの開閉装置を用いた温室の他の実施形態を示す図である。
【符号の説明】
１０，４０，６０  温室用外被フィルムの開閉装置
１１，４１，６１  先導部材
１２，４２，６２  中間巻き取り軸
１３，４３，６３  牽引ベルト
１４，４４，６４  ベルト巻き取り軸
２０  温室
２１，５１，７１  天井換気用フィルム
Ａ  天井部
Ｂ  一方の側面部
Ｃ  他方の側面部
【図１】
0004050545.tif 000002
【図２】
0004050545.tif 000003
【図３】
0004050545.tif 000004
【図４】
0004050545.tif 000005